(57)【要約】  本発明は、複数の宅側装置と通信可能な局側装置に関する。前記局側装置は、前記宅側装置の設定情報を他の装置から取得する取得処理を行なう取得部と、前記取得部によって取得された前記設定情報の一部または全部を前記宅側装置へ送信する設定処理を行なう設定部とを備え、前記取得部は、各前記宅側装置の優先度に応じた順番で前記各宅側装置の前記取得処理を行なう。
2015166791.tif 000002
【特許請求の範囲】
【請求項１】
複数の宅側装置と通信可能な局側装置であって、
前記宅側装置の設定情報を他の装置から取得する取得処理を行なう取得部と、
前記取得部によって取得された前記設定情報の一部または全部を前記宅側装置へ送信する設定処理を行なう設定部とを備え、
前記取得部は、各前記宅側装置の優先度に応じた順番で前記各宅側装置の前記取得処理を行なう、局側装置。
【請求項２】
前記設定部は、前記各宅側装置の優先度に応じた順番で前記各宅側装置の前記設定処理を行なう、請求項１に記載の局側装置。
【請求項３】
前記局側装置は、さらに、
前記宅側装置と前記局側装置との通信接続を確立するための接続処理を行なう接続処理部を備え、
前記取得部は、前記接続処理が完了した前記宅側装置の前記取得処理を行い、
前記局側装置が前記取得処理を並行して行なえる前記宅側装置の数は、前記局側装置が前記接続処理を並行して行なえる前記宅側装置の数より小さい、請求項１または請求項２に記載の局側装置。
【請求項４】
前記局側装置は、さらに、
前記各宅側装置の優先度を示す優先度情報を記憶する記憶部を備え、
前記取得部は、前記優先度情報を用いることにより、前記各宅側装置の優先度に応じた順番で前記各宅側装置の前記取得処理を行なう、請求項１から請求項３のいずれか１項に記載の局側装置。
【請求項５】
前記設定部は、前記設定情報に基づいて前記宅側装置の優先度を判断し、前記優先度に応じた順番で前記各宅側装置の前記設定処理を行なう、請求項１から請求項４のいずれか１項に記載の局側装置。
【請求項６】
複数の宅側装置と通信可能な局側装置であって、
前記宅側装置の設定情報を他の装置から取得する取得処理を行なう取得部と、
前記取得部によって取得された前記設定情報の一部または全部を前記宅側装置へ送信する設定処理を行なう設定部とを備え、
前記設定部は、前記各宅側装置の優先度に応じた順番で前記各宅側装置の前記設定処理を行なう、局側装置。
【請求項７】
複数の宅側装置と通信可能な局側装置を備える通信システムにおける通信制御方法であって、
前記宅側装置の設定情報を他の装置から取得する取得処理を行なうステップと、
取得した前記設定情報の一部または全部を前記宅側装置へ送信する設定処理を行なうステップとを含み、
前記取得処理を行なうステップにおいては、各前記宅側装置の優先度に応じた順番で前記各宅側装置の前記取得処理を行なう、通信制御方法。
【請求項８】
複数の宅側装置と通信可能な局側装置を備える通信システムにおける通信制御方法であって、
前記宅側装置の設定情報を他の装置から取得する取得処理を行なうステップと、
取得した前記設定情報の一部または全部を前記宅側装置へ送信する設定処理を行なうステップとを含み、
前記設定処理を行なうステップにおいては、前記各宅側装置の優先度に応じた順番で前記各宅側装置の前記設定処理を行なう、通信制御方法。
【請求項９】
複数の宅側装置と通信可能な局側装置を備える通信システムにおいて用いられる通信制御プログラムであって、コンピュータに、
前記宅側装置の設定情報を他の装置から取得する取得処理を行なうステップと、
取得した前記設定情報の一部または全部を前記宅側装置へ送信する設定処理を行なうステップとを実行させるためのプログラムであり、
前記取得処理を行なうステップにおいては、各前記宅側装置の優先度に応じた順番で前記各宅側装置の前記取得処理を行なう、通信制御プログラム。
【請求項１０】
複数の宅側装置と通信可能な局側装置を備える通信システムにおいて用いられる通信制御プログラムであって、コンピュータに、
前記宅側装置の設定情報を他の装置から取得する取得処理を行なうステップと、
取得した前記設定情報の一部または全部を前記宅側装置へ送信する設定処理を行なうステップとを実行させるためのプログラムであり、
前記設定処理を行なうステップにおいては、前記各宅側装置の優先度に応じた順番で前記各宅側装置の前記設定処理を行なう、通信制御プログラム。
【発明の詳細な説明】
【技術分野】
【０００１】
本発明は、局側装置、通信制御方法および通信制御プログラムに関し、特に、宅側装置の設定情報を他の装置から取得する局側装置、ならびに当該局側装置における通信制御方法および通信制御プログラムに関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Ａｓｙｍｍｅｔｒｉｃ  Ｄｉｇｉｔａｌ  Ｓｕｂｓｃｒｉｂｅｒ  Ｌｉｎｅ）およびＦＴＴＨ（Ｆｉｂｅｒ  Ｔｏ  Ｔｈｅ  Ｈｏｍｅ）等のブロードバンドアクセスが可能な装置も急速に普及してきている。【０００３】
ＩＥＥＥ  Ｓｔｄ  ８０２．３ａｈ（登録商標）−２００４（非特許文献１）には、複数の宅側装置（ＯＮＵ：Ｏｐｔｉｃａｌ  Ｎｅｔｗｏｒｋ  Ｕｎｉｔ）が光通信回線を共有して局側装置（ＯＬＴ：Ｏｐｔｉｃａｌ  Ｌｉｎｅ  Ｔｅｒｍｉｎａｌ）とのデータ伝送を行なう媒体共有形通信である受動的光ネットワーク（ＰＯＮ：Ｐａｓｓｉｖｅ  Ｏｐｔｉｃａｌ  Ｎｅｔｗｏｒｋ）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ｅｔｈｅｒｎｅｔ（登録商標）  ＰＯＮ）と、ＥＰＯＮのアクセス制御プロトコル（ＭＰＣＰ（Ｍｕｌｔｉ−Ｐｏｉｎｔ  Ｃｏｎｔｒｏｌ  Ｐｒｏｔｏｃｏｌ））およびＯＡＭ（Ｏｐｅｒａｔｉｏｎｓ  Ａｄｍｉｎｉｓｔｒａｔｉｏｎ  ａｎｄ  Ｍａｉｎｔｅｎａｎｃｅ）プロトコルとが規定されている。局側装置と宅側装置との間でＭＰＣＰフレームをやりとりすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【先行技術文献】
【非特許文献】
【０００４】
【非特許文献１】ＩＥＥＥ  Ｓｔｄ  ８０２．３ａｈ（登録商標）−２００４
【発明の概要】
【発明が解決しようとする課題】
【０００５】
ＯＮＵがディスカバリ処理等を経てリンクアップすなわち局側装置と通信接続を確立した後、局側装置は、ＯＮＵが通信等に用いる各種設定情報をＯＮＵへ送信する。たとえば、この設定情報が局側装置とは別の管理サーバ等に保存されている光通信システムでは、局側装置がＴＦＴＰ（Ｔｒｉｖｉａｌ  Ｆｉｌｅ  Ｔｒａｎｓｆｅｒ  Ｐｒｏｔｏｃｏｌ）等を用いて管理サーバからＯＮＵの設定情報を取得した上で、拡張ＯＡＭ等を用いて設定情報をＯＮＵに与える必要がある。【０００６】
このため、ＯＮＵがリンクアップしてから実際に通信トラフィックが局側装置およびＯＮＵ間で流れ始めるまでの時間は長くなり、また、同時期にリンクアップするＯＮＵの台数が増加すると、当該時間はさらに長くなってしまい、ユーザからの早期の通信開始の要求を満たすことが困難となる。【０００７】
この発明は、上述の課題を解決するためになされたもので、その目的は、局側装置と複数の宅側装置とが通信可能な光通信システムにおいて、早期の通信開始の要求を適切に満たす通信サービスを提供することが可能な局側装置、通信制御方法および通信制御プログラムを提供することである。
【課題を解決するための手段】
【０００８】
（１）上記課題を解決するために、この発明のある局面に係わる局側装置は、複数の宅側装置と通信可能な局側装置であって、前記宅側装置の設定情報を他の装置から取得する取得処理を行なう取得部と、前記取得部によって取得された前記設定情報の一部または全部を前記宅側装置へ送信する設定処理を行なう設定部とを備え、前記取得部は、各前記宅側装置の優先度に応じた順番で前記各宅側装置の前記取得処理を行なう。【０００９】
（６）またこの発明の別の局面に係わる局側装置は、複数の宅側装置と通信可能な局側装置であって、前記宅側装置の設定情報を他の装置から取得する取得処理を行なう取得部と、前記取得部によって取得された前記設定情報の一部または全部を前記宅側装置へ送信する設定処理を行なう設定部とを備え、前記設定部は、前記各宅側装置の優先度に応じた順番で前記各宅側装置の前記設定処理を行なう。【００１０】
（７）上記課題を解決するために、この発明のある局面に係わる通信制御方法は、複数の宅側装置と通信可能な局側装置を備える通信システムにおける通信制御方法であって、前記宅側装置の設定情報を他の装置から取得する取得処理を行なうステップと、取得した前記設定情報の一部または全部を前記宅側装置へ送信する設定処理を行なうステップとを含み、前記取得処理を行なうステップにおいては、各前記宅側装置の優先度に応じた順番で前記各宅側装置の前記取得処理を行なう。【００１１】
（８）またこの発明の別の局面に係わる通信制御方法は、複数の宅側装置と通信可能な局側装置を備える通信システムにおける通信制御方法であって、前記宅側装置の設定情報を他の装置から取得する取得処理を行なうステップと、取得した前記設定情報の一部または全部を前記宅側装置へ送信する設定処理を行なうステップとを含み、前記設定処理を行なうステップにおいては、前記各宅側装置の優先度に応じた順番で前記各宅側装置の前記設定処理を行なう。【００１２】
（９）上記課題を解決するために、この発明のある局面に係わる通信制御プログラムは、複数の宅側装置と通信可能な局側装置を備える通信システムにおいて用いられる通信制御プログラムであって、コンピュータに、前記宅側装置の設定情報を他の装置から取得する取得処理を行なうステップと、取得した前記設定情報の一部または全部を前記宅側装置へ送信する設定処理を行なうステップとを実行させるためのプログラムであり、前記取得処理を行なうステップにおいては、各前記宅側装置の優先度に応じた順番で前記各宅側装置の前記取得処理を行なう。【００１３】
（１０）またこの発明の別の局面に係わる通信制御プログラムは、複数の宅側装置と通信可能な局側装置を備える通信システムにおいて用いられる通信制御プログラムであって、コンピュータに、前記宅側装置の設定情報を他の装置から取得する取得処理を行なうステップと、取得した前記設定情報の一部または全部を前記宅側装置へ送信する設定処理を行なうステップとを実行させるためのプログラムであり、前記設定処理を行なうステップにおいては、前記各宅側装置の優先度に応じた順番で前記各宅側装置の前記設定処理を行なう。【００１４】
本発明は、このような特徴的な処理部を備える局側装置として実現できるだけでなく、かかる特徴的な処理をステップとする方法として実現したり、かかるステップをコンピュータに実行させるためのプログラムとして実現したりすることができる。また、本発明は、局側装置の一部または全部を実現する半導体集積回路として実現したり、局側装置を含むシステムとして実現したりすることができる。
【発明の効果】
【００１５】
本発明によれば、局側装置と複数の宅側装置とが通信可能な光通信システムにおいて、早期の通信開始の要求を適切に満たす通信サービスを提供することができる。
【図面の簡単な説明】
【００１６】
【図１】図１は、本発明の実施の形態に係るＰＯＮシステムの構成を示す図である。
【図２】図２は、本発明の実施の形態に係るＰＯＮシステムにおける各種優先制御を概念的に示す図である。
【図３】図３は、本発明の実施の形態に係るＰＯＮシステムにおける局側装置の構成を示す図である。
【図４】図４は、本発明の実施の形態に係る局側装置がＯＮＵの優先度を判断する方法の一例を示す図である。
【図５】図５は、本発明の実施の形態に係る局側装置がＯＮＵの優先度を判断する方法の他の例を示す図である。
【図６】図６は、本発明の実施の形態に係る局側装置がＯＮＵの優先度を判断する方法の他の例を示す図である。
【図７】図７は、本発明の実施の形態に係るＰＯＮシステムにおいて、ＯＮＵがリンクアップしてから通信トラフィックが流れ始めるまでのシーケンスの一例を示す図である。
【発明を実施するための形態】
【００１７】
最初に、本発明の実施形態の内容を列記して説明する。
【００１８】
（１）本発明の実施の形態に係る局側装置は、複数の宅側装置と通信可能な局側装置であって、前記宅側装置の設定情報を他の装置から取得する取得処理を行なう取得部と、前記取得部によって取得された前記設定情報の一部または全部を前記宅側装置へ送信する設定処理を行なう設定部とを備え、前記取得部は、各前記宅側装置の優先度に応じた順番で前記各宅側装置の前記取得処理を行なう。
【００１９】
このような構成により、長時間を要する他の装置からの宅側装置の設定情報の取得処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る局側装置では、局側装置と複数の宅側装置とが通信可能な光通信システムにおいて、早期の通信開始の要求を適切に満たす通信サービスを提供することができる。
【００２０】
（２）好ましくは、前記設定部は、前記各宅側装置の優先度に応じた順番で前記各宅側装置の前記設定処理を行なう。
【００２１】
このような構成により、長時間を要する局側装置から宅側装置への設定情報の送信処理を、各宅側装置の優先度に応じた順番で行なうことができる。これにより、多数の宅側装置が同時期にリンクアップする場合でも、優先度の高い宅側装置のユーザの通信サービス利用開始が遅れることをさらに抑制することができるため、ユーザからの早期の通信開始の要求をより確実に満たすことができる。
【００２２】
（３）好ましくは、前記局側装置は、さらに、前記宅側装置と前記局側装置との通信接続を確立するための接続処理を行なう接続処理部を備え、前記取得部は、前記接続処理が完了した前記宅側装置の前記取得処理を行い、前記局側装置が前記取得処理を並行して行なえる前記宅側装置の数は、前記局側装置が前記接続処理を並行して行なえる前記宅側装置の数より小さい。
【００２３】
このような構成により、多数の宅側装置が並行してリンクアップできる一方で、リンクアップの後の、宅側装置のユーザが通信サービスの利用を開始するための処理が少数の宅側装置しか並行して行なえないような光通信システムにおいて、より効果的に当該通信サービスの利用開始を早めることができる。
【００２４】
（４）好ましくは、前記局側装置は、さらに、前記各宅側装置の優先度を示す優先度情報を記憶する記憶部を備え、前記取得部は、前記優先度情報を用いることにより、前記各宅側装置の優先度に応じた順番で前記各宅側装置の前記取得処理を行なう。
【００２５】
このような構成により、簡易な構成および処理で各宅側装置の優先度を取得し、各種処理を優先度に応じた順番で行なうことができる。
【００２６】
（５）好ましくは、前記設定部は、前記設定情報に基づいて前記宅側装置の優先度を判断し、前記優先度に応じた順番で前記各宅側装置の前記設定処理を行なう。
【００２７】
このような構成により、各宅側装置の通信サービスの内容の相違等に応じて優先度を適切に設定することができる。
【００２８】
（６）本発明の実施の形態に係る局側装置は、複数の宅側装置と通信可能な局側装置であって、前記宅側装置の設定情報を他の装置から取得する取得処理を行なう取得部と、前記取得部によって取得された前記設定情報の一部または全部を前記宅側装置へ送信する設定処理を行なう設定部とを備え、前記設定部は、前記各宅側装置の優先度に応じた順番で前記各宅側装置の前記設定処理を行なう。
【００２９】
このような構成により、長時間を要する局側装置から宅側装置への設定情報の送信処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る局側装置では、局側装置と複数の宅側装置とが通信可能な光通信システムにおいて、早期の通信開始の要求を適切に満たす通信サービスを提供することができる。
【００３０】
（７）本発明の実施の形態に係る通信制御方法は、複数の宅側装置と通信可能な局側装置を備える通信システムにおける通信制御方法であって、前記宅側装置の設定情報を他の装置から取得する取得処理を行なうステップと、取得した前記設定情報の一部または全部を前記宅側装置へ送信する設定処理を行なうステップとを含み、前記取得処理を行なうステップにおいては、各前記宅側装置の優先度に応じた順番で前記各宅側装置の前記取得処理を行なう。
【００３１】
このような構成により、長時間を要する他の装置からの宅側装置の設定情報の取得処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る通信制御方法では、局側装置と複数の宅側装置とが通信可能な光通信システムにおいて、早期の通信開始の要求を適切に満たす通信サービスを提供することができる。
【００３２】
（８）本発明の実施の形態に係る通信制御方法は、複数の宅側装置と通信可能な局側装置を備える通信システムにおける通信制御方法であって、前記宅側装置の設定情報を他の装置から取得する取得処理を行なうステップと、取得した前記設定情報の一部または全部を前記宅側装置へ送信する設定処理を行なうステップとを含み、前記設定処理を行なうステップにおいては、前記各宅側装置の優先度に応じた順番で前記各宅側装置の前記設定処理を行なう。
【００３３】
このような構成により、長時間を要する局側装置から宅側装置への設定情報の送信処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る通信制御方法では、局側装置と複数の宅側装置とが通信可能な光通信システムにおいて、早期の通信開始の要求を適切に満たす通信サービスを提供することができる。
【００３４】
（９）本発明の実施の形態に係る通信制御プログラムは、複数の宅側装置と通信可能な局側装置を備える通信システムにおいて用いられる通信制御プログラムであって、コンピュータに、前記宅側装置の設定情報を他の装置から取得する取得処理を行なうステップと、取得した前記設定情報の一部または全部を前記宅側装置へ送信する設定処理を行なうステップとを実行させるためのプログラムであり、前記取得処理を行なうステップにおいては、各前記宅側装置の優先度に応じた順番で前記各宅側装置の前記取得処理を行なう。
【００３５】
このような構成により、長時間を要する他の装置からの宅側装置の設定情報の取得処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る通信制御プログラムでは、局側装置と複数の宅側装置とが通信可能な光通信システムにおいて、早期の通信開始の要求を適切に満たす通信サービスを提供することができる。
【００３６】
（１０）本発明の実施の形態に係る通信制御プログラムは、複数の宅側装置と通信可能な局側装置を備える通信システムにおいて用いられる通信制御プログラムであって、コンピュータに、前記宅側装置の設定情報を他の装置から取得する取得処理を行なうステップと、取得した前記設定情報の一部または全部を前記宅側装置へ送信する設定処理を行なうステップとを実行させるためのプログラムであり、前記設定処理を行なうステップにおいては、前記各宅側装置の優先度に応じた順番で前記各宅側装置の前記設定処理を行なう。
【００３７】
このような構成により、長時間を要する局側装置から宅側装置への設定情報の送信処理を、各宅側装置の優先度に応じた順番で行なうことができる。これにより、多数の宅側装置が同時期にリンクアップする場合でも、優先度の高い宅側装置のユーザの通信サービス利用開始が遅れることを抑制することができるため、ユーザからの早期の通信開始の要求を満たすことができる。したがって、本発明の実施の形態に係る通信制御プログラムでは、局側装置と複数の宅側装置とが通信可能な光通信システムにおいて、早期の通信開始の要求を適切に満たす通信サービスを提供することができる。
【００３８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３９】
図１は、本発明の実施の形態に係るＰＯＮシステムの構成を示す図である。
【００４０】
図１を参照して、ＰＯＮシステム３０１は、局側装置１０１と、管理サーバ１５１と、複数のＯＮＵ２０２と、スプリッタＳＰとを備える。
【００４１】
ビジネス向けの１または複数のＯＮＵ２０２と局側装置１０１とは、スプリッタＳＰおよび光ファイバを介して接続され、互いに光信号を送受信する。住宅向けの１または複数のＯＮＵ２０２と局側装置１０１とは、スプリッタＳＰおよび光ファイバを介して接続され、互いに光信号を送受信する。
【００４２】
ＰＯＮシステム３０１では、各ＯＮＵ２０２から局側装置１０１への光信号が時分割多重される。
【００４３】
また、ＰＯＮシステム３０１は、たとえばＤＰｏＥ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎ  Ｐｒｏｖｉｓｉｏｎｉｎｇ  ｏｆ  ＥＰＯＮ）モードで動作する。
【００４４】
管理サーバ１５１は、たとえば複数種類のコンフィグファイル７６を保持している。コンフィグファイル７６は、ＯＮＵが通信等に用いる各種設定情報を含む。具体的には、たとえば、コンフィグファイル７６は、ＯＮＵ２０２の最大帯域、最低保証帯域、優先度およびサービスクラス等を含む。優先度は、通信するデータの優先度であり、サービスクラスは、ビジネス向けおよび住宅向け等の契約内容である。
【００４５】
局側装置１０１は、ＯＮＵ２０２がディスカバリ処理等を経てリンクアップすなわち局側装置１０１と通信接続を確立した後、管理サーバ１５１からコンフィグファイル７６を取得する。そして、局側装置１０１は、たとえば、取得したコンフィグファイル７６の情報の一部または全部を、拡張ＯＡＭ等を用いてＯＮＵ２０２に与え、また、自己に設定する。
【００４６】
より詳細には、局側装置１０１は、リンクアップしたＯＮＵ２０２ごとにｖＣＭ（Ｖｉｒｔｕａｌ  Ｃａｂｌｅ  Ｍｏｄｅｍ）７１を作成する。
【００４７】
ｖＣＭ７１は、たとえば、ＯＮＵ２０２のＭＡＣアドレスと、ＬＬＩＤ数と、ＬＬＩＤと、ＩＰアドレスと、状態とを示すテーブルである。
【００４８】
ＤＰｏＥモードでは、ｖＣＭにＩＰアドレスが付与される。具体的には、管理サーバ１５１は、ＤＨＣＰに従い、リンクアップしたＯＮＵ２０２に対応するｖＣＭにＩＰアドレスを付与する。局側装置１０１は、管理サーバ１５１から付与されたｖＣＭのＩＰアドレスを対応のＯＮＵ２０２と関連付けて保存する。
【００４９】
局側装置１０１は、このＩＰアドレスを用いて、たとえばＴＦＴＰ（Ｔｒｉｖｉａｌ  Ｆｉｌｅ  Ｔｒａｎｓｆｅｒ  Ｐｒｏｔｏｃｏｌ）に従って管理サーバ１５１からコンフィグファイル７６を取得する。
【００５０】
管理サーバ１５１は、ＯＮＵ２０２の状態を問い合わせる場合、局側装置１０１に対して、ＩＰアドレスを用いて当該ＯＮＵ２０２を指定する。
【００５１】
局側装置１０１は、ｖＣＭ７１を用いて、指定されたＩＰアドレスからＯＮＵ２０２を特定し、対応のＭＡＣアドレスおよびＬＬＩＤ等を用いてＯＮＵ２０２から状態の情報を取得する。
【００５２】
ここで、ＤＰｏＥモードでは、上記のように、リンクアップしたＯＮＵ２０２に対するＩＰアドレスの付与、コンフィグファイル７６の取得およびＯＮＵ２０２に対する設定が必要である。このため、ＯＮＵ２０２がリンクアップしてから実際に通信トラフィックが局側装置およびＯＮＵ２０２間で流れ始めるまでの時間は長くなる。
【００５３】
たとえば、局側装置１０１には、最大４０９６台のＯＮＵ２０２が接続される可能性がある。このため、停電からの復旧時等、多数のＯＮＵ２０２が同時期にリンクアップする場合、上記時間はさらに長くなってしまう。各ＯＮＵ２０２のリンクアップは、たとえばランダムに実行されるため、通信品質の要求の高いビジネス向けのサービスでは契約違反になる可能性がある。
【００５４】
そこで、本発明の実施の形態に係るＰＯＮシステムでは、以下のような構成および動作により、上記問題を解決する。
【００５５】
図２は、本発明の実施の形態に係るＰＯＮシステムにおける各種優先制御を概念的に示す図である。
【００５６】
図２を参照して、ＰＯＮシステム３０１は、キュー６１〜６４を備える。ＰＯＮシステム３０１は、キュー６１，６２を用いて、ＯＮＵ２０２のＩＰアドレスの取得およびコンフィグファイル７６の転送処理における優先制御１を行なう。また、ＰＯＮシステム３０１は、キュー６３，６４を用いて、コンフィグファイル７６を用いた局側装置１０１およびＯＮＵ２０２に対する設定処理における優先制御２を行なう。なお、ＰＯＮシステム３０１は、優先制御１および優先制御２の両方を行なう構成に限らず、いずれか一方を行なう構成であってもよい。
【００５７】
より詳細には、ＰＯＮシステム３０１における局側装置１０１は、リンクアップしたＯＮＵ２０２に優先度を付与する。そして、局側装置１０１は、優先制御１において、優先度の高いＯＮＵ２０２の処理をキュー６１に格納し、優先度の低いＯＮＵ２０２の処理をキュー６２に格納し、キュー６１の処理を優先的に実行する。
【００５８】
また、局側装置１０１は、優先制御２において、優先度の高いＯＮＵ２０２の処理をキュー６３に格納し、優先度の低いＯＮＵ２０２の処理をキュー６４に格納し、キュー６３の処理を優先的に実行する。
【００５９】
局側装置１０１は、たとえば、住宅向けのＯＮＵ２０２がリンクアップした状態において、ビジネス向けのＯＮＵ２０２が後からリンクアップしてきた場合でも、先にビジネス向けのＯＮＵ２０２の処理が実行されるように優先度を決定する。そして、局側装置１０１は、優先度が高い順番で各種処理を実行する。これにより、ビジネス向けのＯＮＵ２０２の通信トラフィックの開始に要する時間を短縮することが可能となる。
【００６０】
なお、局側装置１０１は、ＯＮＵ２０２の優先度としてハイおよびローの２値を用いる構成に限らず、３つ以上の順番を用いる構成であってもよい。
【００６１】
また、ＯＮＵ２０２の用途は、ビジネス向けおよび住宅向けの２種類に限らず、３種類以上存在してもよい。たとえば、モバイルバックホール向け、すなわち携帯基地局と上位側の装置とを結ぶ光回線用のＯＮＵ２０２が存在してもよい。モバイルバックホール向けのＯＮＵ２０２は、オフィスに敷設されるビジネス向けのＯＮＵ２０２と比べて優先度が高くなる。
【００６２】
図３は、本発明の実施の形態に係るＰＯＮシステムにおける局側装置の構成を示す図である。
【００６３】
図３を参照して、局側装置１０１は、取得部１１と、設定部１２と、記憶部１３と、接続処理部１４とを備える。
【００６４】
取得部１１は、ＯＮＵ２０２の設定情報を含むコンフィグファイル７６を管理サーバ１５１から取得する取得処理、すなわち前述のようなＯＮＵ２０２のＩＰアドレスおよびコンフィグファイル７６の転送処理を行なう。取得部１１は、各ＯＮＵ２０２の優先度に応じた順番で各ＯＮＵ２０２の取得処理を行なう。
【００６５】
接続処理部１４は、ＯＮＵ２０２と局側装置１０１との通信接続を確立するための接続処理を行なう。取得部１１は、当該接続処理が完了したＯＮＵ２０２の取得処理を行なう。
【００６６】
記憶部１３は、各ＯＮＵ２０２の優先度を示す優先度情報を記憶する。取得部１１は、たとえば、記憶部１３に記憶された優先度情報を用いることにより、各ＯＮＵ２０２の優先度に応じた順番で各ＯＮＵ２０２の取得処理を行なう。
【００６７】
設定部１２は、取得部１１によって取得された設定情報の一部または全部を当該ＯＮＵ２０２へ送信する設定処理を行なう。設定部１２は、各ＯＮＵ２０２の優先度に応じた順番で各ＯＮＵ２０２の上記設定処理を行なう。
【００６８】
また、たとえば、設定部１２は、取得部１１によって取得された設定情報に基づいてＯＮＵ２０２の優先度を判断し、優先度に応じた順番で各ＯＮＵ２０２の設定処理を行なう。
【００６９】
なお、設定部１２は、記憶部１３に記憶された優先度情報を用いることにより、各ＯＮＵ２０２の優先度に応じた順番で各ＯＮＵ２０２の設定処理を行なう構成であってもよい。
【００７０】
図４は、本発明の実施の形態に係る局側装置がＯＮＵの優先度を判断する方法の一例を示す図である。
【００７１】
局側装置１０１は、ＯＮＵ２０２のＭＡＣアドレスから当該ＯＮＵ２０２の優先度を判断することが可能である。
【００７２】
具体的には、図４を参照して、局側装置１０１は、優先度テーブル８１，８２を記憶部１３に保持している。
【００７３】
優先度テーブル８１には、優先度の高いＯＮＵ２０２のＭＡＣアドレスが登録されている。優先度テーブル８２には、優先度の低いＯＮＵ２０２のＭＡＣアドレスが登録されている。
【００７４】
ここで、各ＯＮＵ２０２は、リンクアップする際、自己のＭＡＣアドレスを局側装置１０１に通知する。具体的には、局側装置１０１は、ＭＰＣＰレジスタ、ＭＰＣＰレジスタＡＣＫ、およびＯＮＵ２０２から局側装置１０１へのリンクアップの通知イベント等により、ＯＮＵ２０２のＭＡＣアドレスを取得することができる。
【００７５】
この例では、ビジネス向けの２つのＯＮＵ２０２であるＯＮＵ１，２のＭＡＣアドレスがそれぞれ「ｘｘ：ｘｘ：ｘｘ：ｘｘ：ｘｘ：０１」および「ｘｘ：ｘｘ：ｘｘ：ｘｘ：ｘｘ：０２」であり、住宅向けの２つのＯＮＵ２０２であるＯＮＵ３，４のＭＡＣアドレスがそれぞれ「ｘｘ：ｘｘ：ｘｘ：ｘｘ：ｘｘ：０３」および「ｘｘ：ｘｘ：ｘｘ：ｘｘ：ｘｘ：０４」である。
【００７６】
また、優先度テーブル８１には、ビジネス向けのＯＮＵ２０２のＭＡＣアドレスが登録されており、優先度テーブル８２には、住宅向けのＯＮＵ２０２のＭＡＣアドレスが登録されている。
【００７７】
局側装置１０１は、優先度テーブル８１および８２を参照することにより、取得したＯＮＵ２０２のＭＡＣアドレスから当該ＯＮＵ２０２の優先度を取得する。局側装置１０１は、取得した優先度に従い、たとえば優先制御１および優先制御２を行なう。
【００７８】
図５は、本発明の実施の形態に係る局側装置がＯＮＵの優先度を判断する方法の他の例を示す図である。
【００７９】
局側装置１０１は、ｖＣＭ７１におけるＭＡＣアドレスからＯＮＵ２０２の優先度を判断することが可能である。
【００８０】
具体的には、図５を参照して、局側装置１０１は、優先度テーブル８１，８２を記憶部１３に保持している。
【００８１】
優先度テーブル８１には、優先度の高いＯＮＵ２０２のＭＡＣアドレスが登録されている。優先度テーブル８２には、優先度の低いＯＮＵ２０２のＭＡＣアドレスが登録されている。
【００８２】
この例では、ビジネス向けの２つのＯＮＵ２０２であるＯＮＵ１，２のＭＡＣアドレスがそれぞれ「ｘｘ：ｘｘ：ｘｘ：ｘｘ：ｘｘ：０１」および「ｘｘ：ｘｘ：ｘｘ：ｘｘ：ｘｘ：０２」であり、住宅向けの２つのＯＮＵ２０２であるＯＮＵ３，４のＭＡＣアドレスがそれぞれ「ｘｘ：ｘｘ：ｘｘ：ｘｘ：ｘｘ：０３」および「ｘｘ：ｘｘ：ｘｘ：ｘｘ：ｘｘ：０４」である。
【００８３】
そして、ＯＮＵ１に対応するｖＣＭ１にはＯＮＵ１のＭＡＣアドレスである「ｘｘ：ｘｘ：ｘｘ：ｘｘ：ｘｘ：０１」が登録されており、ＯＮＵ２に対応するｖＣＭ２にはＯＮＵ２のＭＡＣアドレスである「ｘｘ：ｘｘ：ｘｘ：ｘｘ：ｘｘ：０２」が登録されており、ＯＮＵ３に対応するｖＣＭ３にはＯＮＵ３のＭＡＣアドレスである「ｘｘ：ｘｘ：ｘｘ：ｘｘ：ｘｘ：０３」が登録されており、ＯＮＵ４に対応するｖＣＭ４にはＯＮＵ４のＭＡＣアドレスである「ｘｘ：ｘｘ：ｘｘ：ｘｘ：ｘｘ：０４」が登録されている。
【００８４】
また、優先度テーブル８１には、ビジネス向けのＯＮＵ２０２のＭＡＣアドレスが登録されており、優先度テーブル８２には、住宅向けのＯＮＵ２０２のＭＡＣアドレスが登録されている。
【００８５】
局側装置１０１は、優先度テーブル８１および８２を参照することにより、ｖＣＭ７１のＭＡＣアドレスからＯＮＵ２０２の優先度を取得する。局側装置１０１は、取得した優先度に従い、たとえば優先制御２を行なう。
【００８６】
図６は、本発明の実施の形態に係る局側装置がＯＮＵの優先度を判断する方法の他の例を示す図である。
【００８７】
局側装置１０１は、管理サーバ１５１から取得したコンフィグファイル７６からＯＮＵ２０２の優先度を判断することが可能である。
【００８８】
具体的には、図６を参照して、ビジネス向けの２つのＯＮＵ２０２であるＯＮＵ１，２のｖＣＭには、ＭＡＣアドレスとしてそれぞれ「ｘｘ：ｘｘ：ｘｘ：ｘｘ：ｘｘ：０１」および「ｘｘ：ｘｘ：ｘｘ：ｘｘ：ｘｘ：０２」が登録されており、住宅向けの２つのＯＮＵ２０２であるＯＮＵ３，４のｖＣＭには、ＭＡＣアドレスとしてそれぞれ「ｘｘ：ｘｘ：ｘｘ：ｘｘ：ｘｘ：０３」および「ｘｘ：ｘｘ：ｘｘ：ｘｘ：ｘｘ：０４」が登録されている。
【００８９】
管理サーバ１５１は、たとえば２つのコンフィグファイル７６であるコンフィグファイルＡおよびＢを保持している。コンフィグファイルＡは、ＭＡＣアドレス「ｘｘ：ｘｘ：ｘｘ：ｘｘ：ｘｘ：０１」およびＭＡＣアドレス「ｘｘ：ｘｘ：ｘｘ：ｘｘ：ｘｘ：０２」に対応付けられており、コンフィグファイルＢは、ＭＡＣアドレス「ｘｘ：ｘｘ：ｘｘ：ｘｘ：ｘｘ：０３」およびＭＡＣアドレス「ｘｘ：ｘｘ：ｘｘ：ｘｘ：ｘｘ：０４」に対応付けられている。
【００９０】
コンフィグファイルＡにおいて、最大帯域は１０００Ｍｂｐｓであり、最低保証帯域は１０Ｍｂｐｓであり、優先度は５であり、サービスクラスはゴールドである。コンフィグファイルＢにおいて、最大帯域は１００Ｍｂｐｓであり、最低保証帯域は１Ｍｂｐｓであり、優先度は３であり、サービスクラスはシルバーである。
【００９１】
局側装置１０１は、ＯＮＵ２０２のコンフィグファイル７６を取得する際、当該ＯＮＵ２０２に対応するｖＣＭ１に登録されているＭＡＣアドレスを管理サーバ１５１に通知する。
【００９２】
管理サーバ１５１は、局側装置１０１から通知されたＭＡＣアドレスから、コンフィグファイルＡを局側装置１０１に渡すか、コンフィグファイルＢを局側装置１０１に渡すかを判断する。すなわち、管理サーバ１５１は、局側装置１０１から通知されたＭＡＣアドレスに対応するコンフィグファイル７６を局側装置１０１へ送信する。
【００９３】
局側装置１０１は、管理サーバ１５１から受信したコンフィグファイル７６を参照することにより、ＯＮＵ２０２の優先度を判断する。たとえば、局側装置１０１は、コンフィグファイル７６における最大帯域のみ、最低保証帯域のみ、優先度のみ、またはサービスクラスのみに基づいて、ＯＮＵ２０２の優先度を判断する。あるいは、たとえば、局側装置１０１は、コンフィグファイル７６におけるこれらの情報の一部または全部の組み合わせに基づいて、ＯＮＵ２０２の優先度を判断する。局側装置１０１は、取得した優先度に従い、たとえば優先制御２を行なう。
【００９４】
［動作］
次に、本発明の実施の形態に係る光通信システムにおける光信号中継装置の動作について説明する。
【００９５】
ＰＯＮシステム３０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００９６】
図７は、本発明の実施の形態に係るＰＯＮシステムにおいて、ＯＮＵがリンクアップしてから通信トラフィックが流れ始めるまでのシーケンスの一例を示す図である。
【００９７】
図７を参照して、まず、局側装置１０１は、ディスカバリゲートをＰＯＮ回線へ送信する（ステップＳ１）。
【００９８】
次に、ＯＮＵ２０２は、局側装置１０１からディスカバリゲートを受信して、レジスタリクエストを局側装置１０１へ送信する（ステップＳ２）。
【００９９】
次に、局側装置１０１は、ディスカバリゲートによって指定した期間、具体的にはディスカバリウィンドウにおいてＯＮＵ２０２からレジスタリクエストを受信すると、レジスタをＯＮＵ２０２へ送信する（ステップＳ３）。
【０１００】
次に、ＯＮＵ２０２は、局側装置１０１からレジスタを受信して、レジスタＡＣＫを局側装置１０１へ送信する（ステップＳ４）。
【０１０１】
次に、ＯＮＵ２０２および局側装置１０１間で各種情報が送受信されることにより、ＯＡＭリンクアップ処理が行なわれる（ステップＳ５）。
【０１０２】
以下、上記のような処理が複数のＯＮＵ２０２について同時期に行なわれた場合の動作を説明する。
【０１０３】
次に、局側装置１０１は、優先制御１を開始する。すなわち、局側装置１０１は、リンクアップした各ＯＮＵ２０２の優先度を判断する（ステップＳ６）。
【０１０４】
次に、局側装置１０１は、各ＯＮＵ２０２の優先度に従い、ｖＣＭを作成し（ステップＳ７）、ＩＰアドレスおよびコンフィグファイル７６の取得を行なう。なお、局側装置１０１は、ｖＣＭを作成した後に、優先制御１を開始する構成であってもよい。
【０１０５】
より詳細には、局側装置１０１は、ＤＨＣＰディスカバーを管理サーバ１５１へ送信する（ステップＳ８）。
【０１０６】
次に、管理サーバ１５１は、局側装置１０１からＤＨＣＰディスカバーを受信して、ＤＨＣＰオファーを送信する（ステップＳ９）。
【０１０７】
次に、局側装置１０１は、管理サーバ１５１からＤＨＣＰオファーを受信して、ＤＨＣＰリクエストを管理サーバ１５１へ送信する。このＤＨＣＰリクエストには、たとえばＯＮＵ２０２のＭＡＣアドレスが含まれる（ステップＳ１０）。
【０１０８】
次に、管理サーバ１５１は、局側装置１０１からＤＨＣＰリクエストを受信して、ＤＨＣＰ  ＡＣＫを送信する（ステップＳ１１）。
【０１０９】
次に、局側装置１０１は、管理サーバ１５１から受信したＤＨＣＰ  ＡＣＫから、たとえばＯＮＵ２０２に付与されたＩＰアドレス、ＴＦＴＰサーバのＩＰアドレスおよびコンフィグファイル７６のファイル名を取得する（ステップＳ１２）。
【０１１０】
次に、局側装置１０１および管理サーバ１５１は、ＴＦＴＰ処理を行なう、すなわちＴＦＴＰに従ったコンフィグファイル７６の転送処理を行なう（ステップＳ１３）。
【０１１１】
次に、局側装置１０１は、管理サーバ１５１から受信したコンフィグファイル７６を解析する（ステップＳ１４）。
【０１１２】
次に、局側装置１０１は、優先制御２を開始する。すなわち、局側装置１０１は、コンフィグファイル７６の解析結果に基づいて、対応のＯＮＵ２０２の優先度を判断する（ステップＳ１５）。
【０１１３】
なお、局側装置１０１は、コンフィグファイル７６におけるＯＮＵ２０２の設定情報から優先度を判断する構成に限らず、前述のように、ＯＮＵ２０２のＭＡＣアドレスから優先度を判断してもよい。
【０１１４】
次に、局側装置１０１は、各ＯＮＵ２０２の優先度に従い、各ＯＮＵ２０２の設定処理を行なう。より詳細には、局側装置１０１からＯＮＵ２０２への拡張ＯＡＭメッセージの送信（ステップＳ１６）およびＯＮＵ２０２から局側装置１０１へのＡＣＫの送信（ステップＳ１７）等により、ＯＮＵ２０２の設定処理が行なわれる。
【０１１５】
ここで、局側装置１０１が取得処理および設定処理を並行して行なえるＯＮＵ２０２の数は、局側装置１０１が接続処理を並行して行なえるＯＮＵ２０２の数より小さい。
【０１１６】
より詳細には、ＯＮＵ２０２のリンクアップ処理が行なわれる期間Ｐ１は、たとえば、数千台のＯＮＵ２０２の処理を並行して行なうことが可能であり、また、１台当たりの処理の所要時間は短い。
【０１１７】
一方、ＯＮＵ２０２のコンフィグファイル７６の取得処理が行なわれる期間Ｐ２は、たとえば、並行して処理可能なＯＮＵ２０２は数十台にとどまり、また、１台当たりの処理の所要時間は長くなる。また、ＯＮＵ２０２の設定処理が行なわれる期間Ｐ３でも、並行して処理可能なＯＮＵ２０２は少なく、また、１台当たりの処理の所要時間は長くなる。
【０１１８】
ＰＯＮシステム３０１では、優先制御１を行なうことにより、優先度の高いＯＮＵ２０２について、優先度の低いＯＮＵ２０２のコンフィグファイル７６の取得処理による待ちを無くすことができるため、ＯＮＵ２０２の設定処理の開始までの遅延を大幅に改善することができる。また、優先制御２を行なうことにより、複数のＯＮＵ２０２についてコンフィグファイル７６の取得処理が並行して行なわれた後、優先度の高いＯＮＵ２０２について、優先度の低いＯＮＵ２０２の設定処理による待ちを無くすことができるため、通信開始までの遅延を大幅に改善することができる。
【０１１９】
このように、ＰＯＮシステム３０１では、ＯＮＵ２０２のユーザの通信サービス利用開始までの遅延を大幅に改善することができる。
【０１２０】
ところで、ＯＮＵが通信等に用いる設定情報が局側装置とは別の管理サーバ等に保存されている光通信システムでは、局側装置がＴＦＴＰ等を用いて管理サーバからＯＮＵの設定情報を取得した上で、拡張ＯＡＭ等を用いて設定情報をＯＮＵに与える必要がある。このため、ＯＮＵがリンクアップしてから実際に通信トラフィックが局側装置およびＯＮＵ間で流れ始めるまでの時間は長くなり、また、同時期にリンクアップするＯＮＵの台数が増加すると、当該時間はさらに長くなってしまい、ユーザからの早期の通信開始の要求を満たすことが困難となる。
【０１２１】
これに対して、本発明の実施の形態に係る局側装置では、取得部１１は、ＯＮＵ２０２の設定情報を管理サーバ１５１から取得する取得処理を行なう。設定部１２は、取得部１１によって取得された設定情報の一部または全部を当該ＯＮＵ２０２へ送信する設定処理を行なう。そして、取得部１１は、各ＯＮＵ２０２の優先度に応じた順番で各ＯＮＵ２０２の取得処理を行なう。
【０１２２】
このような構成により、長時間を要する管理サーバ１５１からのＯＮＵ２０２の設定情報の取得処理を、各ＯＮＵ２０２の優先度に応じた順番で行なうことができる。これにより、多数のＯＮＵ２０２が同時期にリンクアップする場合でも、優先度の高いＯＮＵ２０２のユーザの通信サービス利用開始が遅れることを抑制することができるため、ユーザからの早期の通信開始の要求を満たすことができる。
【０１２３】
したがって、本発明の実施の形態に係る局側装置では、局側装置と複数の宅側装置とが通信可能な光通信システムにおいて、早期の通信開始の要求を適切に満たす通信サービスを提供することができる。
【０１２４】
また、本発明の実施の形態に係る局側装置では、設定部１２は、各ＯＮＵ２０２の優先度に応じた順番で各ＯＮＵ２０２の上記設定処理を行なう。
【０１２５】
このような構成により、長時間を要する局側装置１０１からＯＮＵ２０２への設定情報の送信処理を、各ＯＮＵ２０２の優先度に応じた順番で行なうことができる。これにより、多数のＯＮＵ２０２が同時期にリンクアップする場合でも、優先度の高いＯＮＵ２０２のユーザの通信サービス利用開始が遅れることをさらに抑制することができるため、ユーザからの早期の通信開始の要求をより確実に満たすことができる。
【０１２６】
また、本発明の実施の形態に係る局側装置では、接続処理部１４は、ＯＮＵ２０２と局側装置１０１との通信接続を確立するための接続処理を行なう。取得部１１は、当該接続処理が完了したＯＮＵ２０２の取得処理を行なう。そして、局側装置１０１が取得処理を並行して行なえるＯＮＵ２０２の数は、局側装置１０１が接続処理を並行して行なえるＯＮＵ２０２の数より小さい。
【０１２７】
このような構成により、多数のＯＮＵ２０２が並行してリンクアップできる一方で、リンクアップの後の、ＯＮＵ２０２のユーザが通信サービスの利用を開始するための処理が少数のＯＮＵ２０２しか並行して行なえないような光通信システムにおいて、より効果的に当該通信サービスの利用開始を早めることができる。
【０１２８】
また、本発明の実施の形態に係る局側装置では、記憶部１３は、各ＯＮＵ２０２の優先度を示す優先度情報を記憶する。そして、取得部１１は、優先度情報を用いることにより、各ＯＮＵ２０２の優先度に応じた順番で各ＯＮＵ２０２の取得処理を行なう。
【０１２９】
このような構成により、簡易な構成および処理で各ＯＮＵ２０２の優先度を取得し、各種処理を優先度に応じた順番で行なうことができる。
【０１３０】
また、本発明の実施の形態に係る局側装置では、設定部１２は、設定情報に基づいてＯＮＵ２０２の優先度を判断し、優先度に応じた順番で各ＯＮＵ２０２の設定処理を行なう。
【０１３１】
このような構成により、各ＯＮＵ２０２の通信サービスの内容の相違等に応じて優先度を適切に設定することができる。
【０１３２】
また、本発明の実施の形態に係る局側装置では、取得部１１は、ＯＮＵ２０２の設定情報を管理サーバ１５１から取得する取得処理を行なう。設定部１２は、取得部１１によって取得された設定情報の一部または全部を当該ＯＮＵ２０２へ送信する設定処理を行なう。そして、設定部１２は、各ＯＮＵ２０２の優先度に応じた順番で各ＯＮＵ２０２の設定処理を行なう。
【０１３３】
このような構成により、長時間を要する局側装置１０１からＯＮＵ２０２への設定情報の送信処理を、各ＯＮＵ２０２の優先度に応じた順番で行なうことができる。これにより、多数のＯＮＵ２０２が同時期にリンクアップする場合でも、優先度の高いＯＮＵ２０２のユーザの通信サービス利用開始が遅れることを抑制することができるため、ユーザからの早期の通信開始の要求を満たすことができる。
【０１３４】
したがって、本発明の実施の形態に係る局側装置では、局側装置と複数の宅側装置とが通信可能な光通信システムにおいて、早期の通信開始の要求を適切に満たす通信サービスを提供することができる。
【０１３５】
なお、本発明の実施の形態に係るＰＯＮシステムでは、局側装置１０１が、各ＯＮＵ２０２の優先度の判断処理、管理サーバ１５１からのＯＮＵ２０２の設定情報の取得処理、およびＯＮＵ２０２への設定情報の送信処理を行なう構成であるとしたが、これに限定するものではない。すなわち、局側装置１０１の代わりに、ＰＯＮシステム３０１における局側装置１０１およびＯＮＵ２０２以外の他の装置が、これらの処理の一部または全部を行なう構成であってもよい。たとえば、当該他の装置が各ＯＮＵ２０２の優先度の判断処理を行い、各ＯＮＵ２０２の優先度を局側装置１０１に通知することも可能である。
【０１３６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１３７】
以上の説明は、以下に付記する特徴を含む。
【０１３８】
［付記１］
複数の宅側装置と通信可能な局側装置であって、
前記宅側装置の設定情報を他の装置から取得する取得処理を行なう取得部と、
前記取得部によって取得された前記設定情報の一部または全部を前記宅側装置へ送信する設定処理を行なう設定部とを備え、
前記取得部は、各前記宅側装置の優先度に応じた順番で前記各宅側装置の前記取得処理を行い、
前記局側装置は、ＤＰｏＥに従って動作する、局側装置。
【０１３９】
［付記２］
複数の宅側装置と通信可能な局側装置であって、
前記宅側装置の設定情報を他の装置から取得する取得処理を行なう取得部と、
前記取得部によって取得された前記設定情報の一部または全部を前記宅側装置へ送信する設定処理を行なう設定部とを備え、
前記設定部は、前記各宅側装置の優先度に応じた順番で前記各宅側装置の前記設定処理を行い、
前記局側装置は、ＤＰｏＥに従って動作する、局側装置。
【符号の説明】
【０１４０】
１１  取得部
１２  設定部
１３  記憶部
１４  接続処理部
６１〜６４  キュー
７６  コンフィグファイル
１０１  局側装置
１５１  管理サーバ
２０２  ＯＮＵ
３０１  ＰＯＮシステム
ＳＰ  スプリッタ
【図１】
2015166791.tif 000003
【図２】
2015166791.tif 000004
【図３】
2015166791.tif 000005
【図４】
2015166791.tif 000006
【図５】
2015166791.tif 000007
【図６】
2015166791.tif 000008
【図７】
2015166791.tif 000009
【国際調査報告】
2015166791.tif 000010
2015166791.tif 000011
2015166791.tif 000012
2015166791.tif 000013